(57)【要約】      （修正有）【課題】ランプアセンブリを提供する。【解決手段】第１のスロット、第２のスロット２１１及びランプチューブ３の両端が、対応する円形状であって、ランプチューブ３の両端が、転動して第１のスロットと第２のスロット２１１に収納できる。また、二つの第１の導電シート１２の第１の接触部と二つの第２の導電シート２２の第３の接触部２２１が、円弧状に形成されているため、より大きい接触面積が得られる。これにより、ランプチューブ３の両端のランプピン３５の第１の端部３５１との接触を確保でき、ランプチューブ３が、第１、２の電気コネクタ１、２に組み立てられた後、ランプチューブ３が、適当に転動するように調整できるため、実用に応じて、ランプチューブ３を異なる照明角度に調整できる。【選択図】図２
0003139132.tif 000002
【実用新案登録請求の範囲】
【請求項１】
少なくとも一つの電気コネクタと一つのランプチューブからなるランプアセンブリであって、
前記電気コネクタが絶縁本体と二つの導電シートを備え、該絶縁本体がスロットを備え、該二つの導電シートが該絶縁本体内に設置され、該二つの導電シートがそれぞれ接触部を備え、該接触部が該スロット内に位置し、
前記ランプチューブが少なくとも一端に二つのランプピンを備え、該ランプチューブの一端と二つのランプピンが該電気コネクタのスロットに挿設され、該二つの導電シートの接触部が該二つのランプピンの挿設位置を含み、該ランプチューブの二つのランプピンと該二つの導電シートの接触部とが接触して電気的に接続し、同時に該ランプチューブの一端が転動可能に該スロットの中に位置し、照明の角度を調整可能であることを特徴とするランプアセンブリ。
【請求項２】
該スロットと該ランプチューブの一端とが、互いに対応する円形状であることを特徴とする請求項１に記載のランプアセンブリ。
【請求項３】
該スロットの内壁にリング状の受け面を備え、該ランプチューブの一端が該受け面上に搭載されることを特徴とする請求項１に記載のランプアセンブリ。
【請求項４】
該絶縁本体が位置決め槽を備え、該位置決め槽の両端に行き止め面を備え、該ランプチューブの一端に凸部を備え、該凸部が移動可能に該位置決め槽内に設置され、該凸部が該行き止め面に接触することにより、該ランプチューブの角度が位置決めされることを特徴とする請求項１に記載のランプアセンブリ。
【請求項５】
該絶縁本体の外側面に係合部を備えることを特徴とする請求項１に記載のランプアセンブリ。
【請求項６】
該二つの導電シートの接触部が円弧状シートであって、該二つの接触部が対向するように配されることを特徴とする請求項１に記載のランプアセンブリ。
【請求項７】
該導電シートがもう一つの接触部を有し、もう一つの接触部が該絶縁本体の外側面まで伸びていることを特徴とする請求項１に記載のランプアセンブリ。
【請求項８】
前記少なくとも一つの該電気コネクタが、二つの電気コネクタであり、該ランプチューブの両端にそれぞれ二つのランプピンを備え、該ランプチューブの両端が転動可能に該二つの電気コネクタが備える絶縁本体のスロットに挿設され、該ランプチューブの両端のランプピンがそれぞれ該二つの電気コネクタが備える導電シートの接触部に接触して電気的に接続することを特徴とする請求項１に記載のランプアセンブリ。
【請求項９】
該ランプチューブがＬＥＤ灯であることを特徴とする請求項１に記載のランプアセンブリ。
【請求項１０】
該ランプチューブが裏ケーシング、前ケーシング、回路基板及び二つの端蓋を備え、該裏ケーシングと該前ケーシングとが中空状のケーシングを形成し、該前ケーシングが透過部材であり、該回路基板が該裏ケーシング内に配され、該回路基板上に複数のＬＥＤが設置され、該二つの端蓋が該裏ケーシングと該前ケーシングの両端に嵌設され、該二つのランプピンが一端の蓋上に実装され、該二つのランプピンが該回路基板に電気的に接続することを特徴とする請求項９に記載のランプアセンブリ。
【請求項１１】
該二つのランプピンの両端に、それぞれ第１の端部と第２の端部を備え、該二つのランプピンの第２の端部が該二つの端蓋の内部まで延びて該回路基板と電気的に接続し、該二つのランプピンの第１の端部が該二つの端蓋の外部まで延びて、該二つの導電シートの接触部に接触して電気的に接続することを特徴とする請求項１０に記載のランプアセンブリ。
【考案の詳細な説明】
【技術分野】
【０００１】
本考案は、ランプアセンブリに関する。特にＬＥＤランプアセンブリに適用され、ランプチューブが転動可能で、照明角度が調整できるランプアセンブリに関する。
【背景技術】
【０００２】
従来のランプアセンブリのランプチューブ（例えば、蛍光灯やＬＥＤ灯等）は、ソケットに挿設され、ランプチューブのランプピンに通電してランプチューブが発光する。２００６年１１月１１日に公告された台湾専利第Ｉ２６６０２５号に記載された「両面挿設可能のランプチューブランプピンの接続座」は、その両面にランプチューブのランプピンを挿設することができ、該接続座は互いに係合できる二つのケーシングを有する。該二つのケーシングは互いに対称であり、同じ構造を有する。該接続座は、その先端に開口パスを有し、該開口パスの両側に沿って延びるとともに対称的に配される二つの凹槽を有する。該凹槽にそれぞれ転動可能なロートプラグ・導電シートが配される。該ロートプラグ導電シートの裏側から二つの導電リードが延び、接続座が、該開口パスに沿ってある角度の回転方向で該凹槽内に嵌入したランプチューブのランプピンを挟み持つ。該ロートプラグ導電シートは、それぞれ複数の電線に電気的に接続する。また、該接続座が更に電源供給部を備え、電線が該電源供給部に挿し込まれると、電線が該ロートプラグ導電シートに接続して接続座に電源を供給する。該接続座の両側面に、ともにランプチューブのランプピンが挿設され、ランプピンはランプチューブに電源を供給し、ランプチューブ同士を延長して接続する。
【０００３】
しかしながら、上記のランプチューブのランプピンが接続座（或いは、ソケットや電気コネクタと称される）に挿設された直後は、ランプチューブのランプピンが即座に接続座内の導電リードに接触しない。ランプチューブが一定の角度で転動すると、ランプチューブのランプピンが導電リードに接触して、ランプチューブと接続座とが電気的に接続する。このため、ランプチューブと接続座との組み立てが不便であり、即座にランプチューブを点灯させるという効果が得られない。
【０００４】
また、上記のランプチューブと接続座とを組み立てることにより、ランプチューブの角度が固定される。したがって、様々な必要性に応じてランプチューブを転動して照明角度を調整することができない。特にＬＥＤ灯を使用する場合、所定の照明角度を有することは実用的ではないため、使用上非常に不便である。
【０００５】
本考案者は、上記の欠点を改善するため、設計が合理的であり、有効に上記欠点を改善できる本考案を提案する。
【０００６】
【特許文献１】台湾専利第Ｉ２６６０２５号
【考案の開示】
【考案が解決しようとする課題】
【０００７】
本考案の主な目的は、ランプチューブのランプピンが電気コネクタに挿設される時、ランプチューブのランプピンが、即座に電気コネクタ内の導電シートに接触し、直ちにランプチューブと電気コネクタとが電気的に接続するとともに、ランプチューブと電気コネクタとの組み立てがより便利であり、即座にランプチューブを点灯させるという効果が得られるランプアセンブリを提供する。
【０００８】
本考案の他の目的は、ランプチューブと電気コネクタとを組み立てた後、ランプチューブが転動できるため、照明角度が調整できるランプアセンブリを提供する。
【課題を解決するための手段】
【０００９】
本考案は、上記の目的を達成するため、少なくとも一つの電気コネクタと一つのランプチューブからなるランプアセンブリであって、前記電気コネクタが絶縁本体と二つの導電シートを備え、該絶縁本体がスロットを備え、該二つの導電シートが該絶縁本体内に設置され、該二つの導電シートがそれぞれ接触部を備え、該接触部が該スロット内に位置し、前記ランプチューブが少なくとも一端に二つのランプピンを備え、該ランプチューブの一端と二つのランプピンが該電気コネクタのスロットに挿設され、該二つの導電シートの接触部が該二つのランプピンの挿設位置を含み、該ランプチューブの二つのランプピンと該二つの導電シートの接触部とが接触して電気的に接続し、同時に該ランプチューブの一端が転動可能に該スロットの中に位置し、照明の角度を調整可能であることを特徴とするランプアセンブリである。
【考案の効果】
【００１０】
本考案は、次のような効果が得られる。本考案の電気コネクタの導電シートがランプチューブのランプピンの挿設位置を含むため、該ランプチューブの一端が電気コネクタのスロット内に挿設されると、該ランプチューブのランプピンが即座に導電シートに接触し、直ちにランプチューブと電気コネクタとが電気的に接続する。そのため、ランプチューブと電気コネクタとの組み立てがより便利になり、即座にランプチューブを点灯させる効果が得られる。
【００１１】
また、ランプチューブの一端が、転動可能に該スロットに収納される。また、該導電シートはより大きい接触面積を有するため、ランプチューブのランプピンとの接触を確保できる。また、ランプチューブと電気コネクタとを組み立てた後、ランプチューブの転動調整ができ、ランプチューブの様々な照明角度を調整できる。
【００１２】
以下、図面を参照しながら本考案の特徴や技術内容について詳説するが、本考案は、それによって制限されることがない。
【考案を実施するための最良の形態】
【００１３】
図１乃至図４を参照する。本考案に係るランプアセンブリは、第１の電気コネクタ１と第２の電気コネクタ２及びランプチューブ３を備える。、該第１の電気コネクタ１は第１の絶縁本体１１と二つの第１の導電シート１２を備える。該第１の絶縁本体１１はプラスチック材料からなり、一体成型や組み立てにより構成され、内部に該ランプチューブ３の一端を収納できる円形状の第１のスロット１１１を備える。これにより、ランプチューブ３が転動可能なように第１の電気コネクタ１に挿設される。該第１のスロット１１１は内壁に該ランプチューブ３の一端を受けるリング状の第１の受け面１１２を備え、該第１の絶縁本体１１は内部に更に第１の位置決め槽１１３を備える。該第１の位置決め槽１１３は第１のスロット１１１に隣接し、両端に行き止め面１１３１を備える。該第１の絶縁本体１１は外側面に第１の係合部１１４を備える。本実施例において、該第１の係合部１１４は係合槽であり、他のランプアセンブリと接続できる。
【００１４】
該二つの第１の導電シート１２は導電性や弾性の優れた金属片体からなり、適当な形状に湾曲しており、熱融合や係合等により該第１の絶縁本体１１の内部に設置固定される。該第１の導電シート１２は、それぞれともに円弧状シートである第１の接触部１２１と第２の接触部１２２を有する。該第１の接触部１２１が該第１の絶縁本体１１の第１のスロット１１１内に位置し、該第２の接触部１２２が該第１の絶縁本体１１の外側面まで延び（図２のように）、適当に電源に接続して、該第１の電気コネクタ１が備える二つの第１の導電シート１２に電源を供給する。該二つの第１の導電シート１２が備える第１の接触部１２１は、相対するように設置され、これにより、ランプチューブ３の一端のランプピン３５に接触して電気的に接続する。該第１の接触部１２１は、ランプチューブ３のランプピン３５の挿設位置を含むように円弧状に延び、これにより、より大きい接触面積が得られる。
【００１５】
該第２の電気コネクタ２は、第２の絶縁本体２１と二つの第２の導電シート２２を備える。該第２の絶縁本体２１はプラスチック材料からなり、一体成型や組み立てにより構成され、内部に該ランプチューブ３のもう一端を収納できる円形状の第２のスロット２１１を備える。これによりランプチューブ３が転動可能なように第２の電気コネクタ２に挿設される。該第２のスロット２１１は、内壁に該ランプチューブ３のもう一端を受けるリング状の第２の受け面２１２を備え、該第２の絶縁本体２１は、内部に更に第２の位置決め槽２１３を備える。該第２の位置決め槽２１３は第２のスロット２１１に隣接し、両端に行き止め面２１３１を備える。該第２の絶縁本体２１は外側面に第１の係合部１１４に対応する第２の係合部２１４を備える（図５のように）。本実施例において、該第２の係合部２１４は係合体であり、他のランプアセンブリと直列に接続できる。
【００１６】
該二つの第２の導電シート２２は、導電性や弾性の優れた金属片体からなり、適当な形状に湾曲しており、熱融合や係合等により、該第２の絶縁本体２１の内部に設置固定される。該第２の導電シート２２はそれぞれともに円弧状シートである第３の接触部２２１と第４の接触部２２２とを有する。該第３の接触部２２１が該第２の絶縁本体２１の第２のスロット２１１内に位置し、第４の接触部２２２が該第２の絶縁本体２１の外側面まで延び（図５のように）、適当に電源に接続して、該第２の電気コネクタ２が備える二つの第２の導電シート２２に電源を供給する。該二つの第２の導電シート２２が備える第３の接触部２２１は相対するように設置され、これにより、ランプチューブ３のもう一端のランプピン３５に接触して電気的に接続する。該第３の接触部２２１は、ランプチューブ３のランプピン３５の挿設位置を含むように円弧状に延び、これにより、より大きい接触面積が得られる。
【００１７】
該ランプチューブ３は、ＬＥＤ灯であり、裏ケーシング３１、前ケーシング３２、回路基板３３、二つの端蓋３４及び四つのランプピン３５を備える（図７と図８のように）。本実施例において、該裏ケーシング３１はアルミ押出により作製される長尺ケーシングであり、外縁に放熱を補助するための複数の放熱フィン３１１を突設する。該裏ケーシング３１は、外縁に固定孔３１２を備え、該固定孔３１２が該裏ケーシング３１の両端まで伸びる。該裏ケーシング３１は内縁に回路基板３３に対応する収納槽３１３を備え、両側にそれぞれ係合槽３１４を備える。
【００１８】
該前ケーシング３２は、該裏ケーシング３１に対応して設置される長尺ケーシングであって、透過部材であり、両側にそれぞれ係合槽３１４に対応する係合部３２１を備える。該二つの係合部３２１と該二つの係合槽３１４とが互いに係合することにより、裏ケーシング３１と前ケーシング３２とが互いに係合して中空状ケーシングが組み立てられる。
【００１９】
該回路基板３３は該裏ケーシング３１の収納槽３１３内に収納され、前ケーシング３２に隣接する一面に、間隔を置いて複数のＬＥＤ（発光二極体）３３１が設置される。該ＬＥＤ３３１が回路基板３３と電気的に接続し、電源を供給する時、該ＬＥＤ３３１が発光して照明可能となる。
【００２０】
該二つの端蓋３４は円形中空蓋体であり、それぞれ締結孔３４１と二つの貫通穴３４２を備え、該締結孔３４１と貫通穴３４２とが端蓋３４の一端から内部まで貫通し、該二つの端蓋３４は外縁にそれぞれ凸部３４３を突設する。該二つの端蓋３４は裏ケーシング３１と前ケーシング３２との両端に嵌設し、裏ケーシング３１と前ケーシング３２との両端を封止する。またネジ３４４を端蓋３４の締結孔３４１に貫通して裏ケーシング３１の固定孔３１２の両端に螺着することにより、該二つの端蓋３４が安定的に裏ケーシング３１と前ケーシング３２との両端に固定される。
【００２１】
該ランプピン３５は導電性や弾性の優れた金属片体からなり、適当な形状に湾曲しており、両端にそれぞれ第１の端部３５１と第２の端部３５２を備え、該二つの端蓋３４の貫通穴３４２に実装される。これにより該二つの端蓋３４にそれぞれ二つのランプピン３５が実装される。該ランプピン３５は、第２の端部３５２が端蓋３４の内部まで延びて、回路基板３３上の電気接点（図に未表示）に接触して電気的に接続する。該ランプピン３５は、第１の端部３５１が端蓋３４の外部まで延びて、第１の電気コネクタ１と第２の電気コネクタ２の第１の導電シート１２と第２の導電シート２２に接触して電気的に接続する。
【００２２】
図２と図４及び図６を参照する。本考案のランプチューブ３の両端がそれぞれ第１の電気コネクタ１と第２の電気コネクタ２に挿設され、該ランプチューブ３の両端と該ランプピン３５が第１の電気コネクタ１が備える第１のスロット１１１と第２の電気コネクタ２が備える第２のスロット２１１内に挿入されると、該ランプチューブ３の両端の端蓋３４が第１の受け面１１２と第２の受け面２１２とに接触する。また、該ランプチューブ３の両端の端蓋３４が、転動可能に該第１のスロット１１１と第２のスロット２１１に収納される。そして、該ランプチューブ３の両端のランプピン３５が、第１の端部３５１で該第１の電気コネクタ１が備える第１の導電シート１２の第１の接触部１２１と第２の電気コネクタ２が備える第２の導電シート２２の第３の接触部２２１に接触する。これにより、該ランプチューブ３が該第１の電気コネクタ１と該第２の電気コネクタ２に電気的に接続するため、電源が第１の電気コネクタ１と第２の電気コネクタ２を介してランプチューブ３に供給され、これにより該ランプチューブ３が発光する。
【００２３】
図９を参照する。本考案は、更に該ランプアセンブリが灯笠４を設置してもよく、該灯笠４は該ランプチューブ３の外部に設けられ、該ランプチューブ３を適当に遮蔽できる。
【００２４】
本考案は、第１の電気コネクタ１が備える第１の導電シート１２の第１の接触部１２１と第２の電気コネクタ２が備える第２の導電シート２２の第３の接触部２２１が、ランプチューブ３の両端のランプピン３５の挿設位置を含むため、より大きい接触面積を有する。該ランプチューブ３の両端が、第１の電気コネクタ１が備える第１のスロット１１１と第２の電気コネクタ２が備える第２のスロット２１１内に挿設される時、該ランプチューブ３の両端のランプピン３５の第１の端部３５１が、即座に第１の導電シート１２が備える第１の接触部１２１と第２の導電シート２２が備える第３の接触部２２１に接触でき、直ちにランプチューブ３が第１、２の電気コネクタ１、２に電気的に接続する。これによりランプチューブ３と第１、２の電気コネクタ１、２との組み立てがより便利になり、また、即座にランプチューブ３を点灯できるという効果が得られる。
【００２５】
また、第１のスロット１１１、第２のスロット２１１及びランプチューブ３の両端が、対応する円形状であって、ランプチューブ３の両端が、転動して該第１のスロット１１１と第２のスロット２１１に収納できる。また、該二つの第１の導電シート１２の第１の接触部１２１と該二つの第２の導電シート２２の第３の接触部２２１が、円弧状に形成されているため、より大きい接触面積が得られる。これにより、ランプチューブ３の両端のランプピン３５の第１の端部３５１との接触を確保でき、ランプチューブ３が、第１、２の電気コネクタ１、２に組み立てられた後、ランプチューブ３が、適当に転動するように調整できるため、実用に応じて、ランプチューブ３を異なる照明角度に調整できる。ランプチューブ３を転動して調整する時、該ランプチューブ３の二つの端蓋３４の凸部３４３が変位して、該第１の位置決め槽１１３と該第２の位置決め槽２１３に設置される。また、凸部３４３で第１の位置決め槽１１３と第２の位置決め槽２１３の両端の行き止め面１１３１と２１３１に接触することにより位置決めされるため、ランプチューブ３の転動可能な角度が制限され、ランプチューブ３が過度に転動することを防止できる。
【００２６】
また、図５と図６を参照する。本考案のランプアセンブリとランプアセンブリとの間において、第１の電気コネクタ１と第２の電気コネクタ２の外側面に設けられた第１の係合部１１４と第２の係合部２１４とが、互いに係合して直列に接続することができる。また、ランプアセンブリとランプアセンブリとの間において、第１の電気コネクタ１が備える二つの第１の導電シート１２の第２の接触部１２２と第２の電気コネクタ２が備える二つの第２の導電シート２２の第４の接触部２２２とが互いに接触して電気的に接続し、これによりランプアセンブリとランプアセンブリとが直列に接続する。
【００２７】
以上は、単に本考案のより良い実施例であり、本考案は、これらによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２８】
【図１】本考案のランプアセンブリの立体分解図（１）である。
【図２】本考案のランプアセンブリの立体分解図（２）である。
【図３】本考案のランプアセンブリの立体分解図（３）である。
【図４】本考案のランプアセンブリの立体分解図（４）である。
【図５】本考案の第２の電気コネクタの立体組立て図である。
【図６】本考案のランプアセンブリの立体組立て図である。
【図７】本考案のランプチューブの立体分解図である。
【図８】本考案のランプチューブの立体組立て図である。
【図９】本考案のランプアセンブリに灯笠が設置された時の立体組立て図である。
【符号の説明】
【００２９】
１        第１の電気コネクタ
１１      第１の絶縁本体
１１１    第１のスロット
１１２    第１の受け面
１１３    第１の位置決め槽
１１３１  行き止め面
１１４    第１の係合部
１２      第１の導電シート
１２１    第１の接触部
１２２    第２の接触部
２        第２の電気コネクタ
２１      第２の絶縁本体
２１１    第２のスロット
２１２    第２の受け面
２１３    第２の位置決め槽
２１３１  行き止め面
２１４    第２の係合部
２２      第２の導電シート
２２１    第３の接触部
２２２    第４の接触部
３        ランプチューブ
３１      裏ケーシング
３１１    放熱フィン
３１２    固定孔
３１３    収納槽
３１４    係合槽
３２      前ケーシング
３２１    係合部
３３      回路基板
３３１    ＬＥＤ
３４      端蓋
３４１    締結孔
３４２    貫通穴
３４３    凸部
３４４    ネジ
３５      ランプピン
３５１    第１の端部
３５２    第２の端部
４        灯笠
【図１】
0003139132.tif 000003
【図２】
0003139132.tif 000004
【図３】
0003139132.tif 000005
【図４】
0003139132.tif 000006
【図５】
0003139132.tif 000007
【図６】
0003139132.tif 000008
【図７】
0003139132.tif 000009
【図８】
0003139132.tif 000010
【図９】
0003139132.tif 000011